(57)【要約】【課題】タバコの吸殻等の回収や清掃作業の作業性を向上・維持しつつ、不用意に灰皿を反転させてしまうような事故を効果的に防止し、灰皿の長期使用にも耐えうる等の遊技機用の灰皿を提供する。【解決手段】タバコの吸殻などを溜める凹部（６１）を有する灰皿本体（６０）が、受皿部材（４）に形成した灰皿収容部（５０）に対して摺動可能、かつ回動可能に設けられている。また、押圧手段（５５，５６）と被押圧部（６７）と、案内溝（５４）と、を設けたことにより、作業者等が灰皿本体に対して意図的に移動操作をしない限りその移動が抑制された状態にある。これにより、不意の接触による吸殻等の飛散事故を防止するとともに、その内容物の回収作業も容易に行うことができる。【選択図】図２
2008194284.tif 000002
【特許請求の範囲】
【請求項１】
遊技機の前面部に形成された灰皿収容部に回動可能に支持される灰皿本体を備えた遊技機の灰皿構造であって、
前記灰皿本体は、一面側に開口を有して凹状に形成され、当該灰皿本体の底部には凹状の被押圧曲面を有する被押圧部が形成され、当該灰皿本体の両側面には一対の回動軸が形成されるとともに、前記側面の少なくともいずれか一方の側面には前記回動軸の前方に位置する突状部が形成され、
前記灰皿収容部には、前記灰皿本体を収納する使用時位置から前方の回収時位置との間で移動自在に案内する、前記突状部を遊嵌する案内溝と、
前記使用時位置で、前記灰皿本体の前記被押圧部に整合する凸状の押圧曲面を有する押圧部と、当該押圧部と前記被押圧部とを整合させ、当該押圧部を介して前記被押圧部に押圧力を作用させる押圧手段と、が備えられていることを特徴とする、遊技機の灰皿構造。
【請求項２】
前記案内溝は、少なくともその一部が斜めに形成されていることを特徴とする請求項１に記載の、遊技機の灰皿構造。
【発明の詳細な説明】
【技術分野】
【０００１】
本発明は、パチンコやスロットマシン等の遊技機の灰皿構造に関する。
【背景技術】
【０００２】
通常スロットマシン等の遊技機においては、遊技者の喫煙用のための灰皿が、例えば、メダル貯留部に隣接して設けられている。かかる遊技機に設けられる従来の灰皿は、灰皿本体の清掃や吸殻などの回収作業の利便性を考慮して、灰皿本体が使用時の位置から回収時の位置へ容易に回動可能になっている。このため、例えば遊技者が遊技中に足を組む若しくは手で受皿の遊技媒体を操作しようとしたときまたは遊技店の作業員が灰皿の清掃をするときなどに、意図せずして膝や手指などの身体の一部が灰皿に触れて吸殻や灰などをまき散らしてしまうといった課題があった。
【０００３】
そこで、近年、こうした事故を防ぐために、回動可能に支持される灰皿本体を遊技機の前面部に安定して保持するための対策が施された種々の灰皿構造が公知化されている。
たとえば、特許文献１には、灰皿本体を回動可能な支持位置でその支軸に巻着させた「ねじりばね」により、常時、使用時の位置に付勢保持するパチンコ機の灰皿構造が開示されている。
【０００４】
また、特許文献２には、灰皿本体を収納する灰皿収納部の後面から前方に延びる弾性を有する係合部に当該灰皿本体の底面に形成した被係合部を係合させることで、灰皿本体の回動を抑制する遊技機の灰皿構造が開示されている。
【０００５】
また、特許文献３には、灰皿本体が灰皿収納部に収納される使用時位置と回動を許す回収時位置との間で移動自在となるように支持され、前述の使用時位置では灰皿収納部の上下に配された突状部が灰皿本体を挟持することで、その回動を抑制する遊技機の灰皿構造が開示されている。
【０００６】
【特許文献１】実開昭５２−１６２９８９号公報
【特許文献２】特開平６−２９３１０５号公報（特許第３１７１７６０号）
【特許文献３】特開２００１−２６９４７０号公報
【発明の開示】
【発明が解決しようとする課題】
【０００７】
しかし、特許文献１に記載される灰皿構造によれば、灰皿本体が回動可能に支持される位置で「ねじりばね」により付勢保持されているため、吸殻等の回収で灰皿本体の回動動作が繰り返し行われると、その疲労によりばねの弾性力が低下し、充分な保持力が得られなくなるという課題があった。
【０００８】
また、特許文献２の灰皿構造によれば、上述した構造と同様に灰皿本体が回動する位置で弾性を有する係合部に係合しているため、長期の使用により係合部や被係合部が摩滅し灰皿本体が灰皿収納部から外れやすくなるおそれがあった。
また、特許文献３の灰皿構造によれば、何らかの衝撃などで灰皿本体が一旦前方に引き出されてしまった場合に、灰皿本体を意図せずに回動させてしまうおそれがあった。
【０００９】
本発明は、こうした従来の課題に鑑みてなされたものであり、遊技者や作業者等が意図せずに灰皿本体を回動させてしまうことによる事故を防止する等の、遊技機における灰皿構造を提供することを目的としている。また、本発明は、清掃時の作業性を損なうことなく長期使用にも耐えうるようにした等の、遊技機における灰皿構造を提供することを目的としている。
【課題を解決するための手段】
【００１０】
上述した課題を解決するためになされた請求項１に記載の発明は、遊技機の前面部に形成された灰皿収容部に回動可能に支持される灰皿本体を備えた遊技機の灰皿構造であって、前記灰皿本体は、一面側に開口を有して凹状に形成され、当該灰皿本体の底部には凹状の被押圧曲面を有する被押圧部が形成され、当該灰皿本体の両側面には一対の回動軸が形成されるとともに、前記側面の少なくともいずれか一方の側面には前記回動軸の前方に位置する突状部が形成され、前記灰皿収容部には、前記灰皿本体を収納する使用時位置から前方の回収時位置との間で移動自在に案内する、前記突状部を遊嵌する案内溝と、前記使用時位置で、前記灰皿本体の前記被押圧部に整合する凸状の押圧曲面を有する押圧部と、当該押圧部と前記被押圧部とを整合させ、当該押圧部を介して前記被押圧部に押圧力を作用させる押圧手段と、が備えられていることを特徴とする。
【００１１】
請求項１に記載の遊技機の灰皿構造によれば、遊技機の前面部に形成される灰皿収容部に灰皿本体が収容される使用時位置の状態では、灰皿本体の突状部が灰皿収容部に形成された案内溝に遊嵌するため、灰皿本体の回動動作が規制される。これとともに、例えばバネと押圧部とからなる押圧手段が灰皿本体の被押圧部に対し、押圧部を整合させて押圧力を作用させることで、灰皿本体の移動を抑制する。すなわち、灰皿本体を灰皿収容部に収容される使用時位置から意図的に引き出さない限り、その回動が規制されるため、吸殻などの飛散事故を効果的に防ぎ、回収時の作業性を向上させる。また、灰皿本体が押圧手段により保持される使用時位置での回動を規制する構造としたため、回収作業に伴って回動動作が繰り返されても疲労や摩耗により押圧手段の押圧力が低下せず、長期の使用にも耐えることができる。
【００１２】
請求項２に記載の発明は、請求項１に記載の遊技機の灰皿構造であって、前記案内溝は、少なくともその一部が斜めに形成されていることを特徴とする。
請求項２に記載の遊技機の灰皿構造によれば、案内溝の少なくともその一部を斜めに形成する。このように一部を斜めに形成することで、灰皿本体を一度斜めに引き上げる動作が必要となり、前方への安易な移動を抑制する。これにより、灰皿本体を灰皿収容部に収容される使用時位置から斜め方向に意図的に引き出さない限り、その回動が規制されるため、吸殻などの飛散事故を効果的に防ぐことができる。
【発明の効果】
【００１３】
本発明に係る遊技機の灰皿構造によれば、遊技者や作業者等が意図せずに灰皿本体を回動させてしまうことによる事故を効果的に防止する。また、灰皿の清掃等に際しても、作業者等は灰皿本体を一旦斜め前方へ引き上げて案内溝に乗せ、収容部内から所定距離だけ引き出した後、若干の回動操作力を加え反転させる手順のみで吸殻などの内容物を容易に回収することができ、作業性を向上させることができる。また、回収作業に伴って回動動作が繰り返されても、灰皿本体を使用時位置に保持する押圧手段の押圧力が低下せず、長期の使用にも耐えることができる。
【発明を実施するための最良の形態】
【００１４】
以下、本発明に関わる遊技機の例としてスロットマシンを説明する。スロットマシン１は、遊技者に面する側にいわゆるフロントマスクが形成された前扉２が略矩形状の箱体である筐体３の開口に対し図示しない蝶番機構により開閉可能に取り付けられている。フロントマスクは、上から上パネル部、中パネル部、下パネル部に概ね分けられ、これらは化粧板として視覚効果を高めてデザインされた硬質プラスチックにより一体的に形成されている。また、下パネル部の下方には、メダルを貯留するための受け皿４ａが一体的に形成されるとともに受け皿４ａに隣接して、遊技者の喫煙に供するための灰皿５が設けられた受皿部材４が取り付けられている。
【００１５】
上パネル部には、高輝度の発光ダイオード（ＬＥＤ）を内蔵した上部ランプ６ａ及びコーナランプ６ｂ、６ｃ等の効果ランプが配置され、リーチや大当たり等の際に点灯または点滅して遊技者の視覚に訴える演出を行っている。また、上パネル部の左右位置には、それぞれスピーカを内蔵した放音部７ａ、７ｂが設けられ、効果音や楽音等によるゲームの演出を行っている。更に、各放音部７ａ、７ｂに挟まれる中央位置には、液晶表示ユニットを配した画像表示部８が形成されている。
【００１６】
中段の中パネル部には、長方形の透明な表示窓９ａが形成されたアクリル製の中パネル板９が取り付けられている。そして、この表示窓９ａを通して、筐体内に設けられている円筒状の３個のリール１０ａ、１０ｂ、１０ｃを遊技者が目視できるように構成されている。なお、各リール１０ａ、１０ｂ、１０ｃの周面には、複数の異なる種類を含む例えば２１個の図柄（図示略）がほぼ等間隔で配列され、表示窓９ａに臨む縦３個、横３列の図柄が当該表示窓を通して遊技者に視認されるようになっている。
【００１７】
中パネル板９の下方には、前方に若干突出した操作卓と呼ばれる卓状部が形成され、ここには、ゲームに使用するメダルを投入するための投入口を有するメダル投入部１１と、ゲームの操作を指示するためのベットボタン１２と、スタートレバー１３と、３個のストップボタン１４ａ、１４ｂ、１４ｃ等が配設されている。
【００１８】
かかる構造のスロットマシン１は、先のゲームにおいて入賞しメダルの払い出しが完了した時、または先のゲームにおいてハズレが確定すると待機状態となる。この状態において、遊技者がメダル投入部１１よりメダルを投入すると、そのメダルがクレジットに加算され内部貯留される。この状態で遊技者がベットボタン１２を押圧操作することで、クレジットされたメダルの一部が当該ゲームに賭けられゲームが開始する。そして、遊技者がスタートレバー１３を傾倒操作すると、全てのリール１０ａ、１０ｂ、１０ｃが一斉に回転し、これと同時に入賞役が内部的な処理で乱数抽選される。
【００１９】
次に、遊技者がストップボタン１４ａ、１４ｂ、１４ｃを任意の順番で押圧操作すると、それに従い順次対応するリールが停止し、全てのリール１０ａ、１０ｂ、１０ｃが停止した後、各リールに表示された図柄の組合せと上述の内部抽選した入賞役に係る図柄の組合せとが一致しているか否かが判定される。これらが一致したときには当該入賞が確定し、その入賞役の種類に応じた枚数のメダルがクレジットに加算され配当される。入賞の配当によりクレジットの上限を超える場合には、その超過した枚数分のメダルがメダル払出口１６より受け皿４ａへ払い出される。
【００２０】
このように、スロットマシン１の遊技者は、リール１０ａ、１０ｂ、１０ｃを回転・停止させる遊技操作を行って、表示窓９ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００２１】
次に、上述のスロットマシン１等において例えばメダルを貯留する受皿部材４に設けられる灰皿５及びその収容構造の実施例を詳細に説明する。ここで、図２は灰皿５の斜め前方から見た分解斜視図、図３は灰皿本体６０の平面図、図４は灰皿本体６０を下斜め前方から見た場合の斜視図、図５は灰皿本体６０が灰皿収容部５０に収容される使用時位置での状態を表した略側面図である。
【００２２】
図１に示されたように、受皿部材４の前方より向かって左端部には、タバコの吸殻などを溜める灰皿本体６０を摺動可能、かつ回動可能に収容する灰皿収容部５０が形成されている。
【００２３】
図２〜図４に示されるように、灰皿本体６０は、耐熱性を有する硬質プラスチックを一体的に成型加工して作成され、吸殻や灰などを溜めるための凹部６１と、その開口縁の前壁部６２にタバコを載置させるタバコ載置溝６２ａと、底壁部６６の外側面に凹状の曲面である被押圧曲面を有する被押圧部６７と、側壁部６３ａ、６３ｂの外側面に回動支点となる回動軸６４ａ、６４ｂと、その前方には凸状の突状部６５ａ、６５ｂとを有している。なお、左右の回動軸６４ａ、６４ｂは、突状部６５ａ、６５ｂよりも突出して形成されている。
【００２４】
灰皿収容部５０は、スロットマシン１の受皿部材４に一体形成された背面部５１と、背面部５１の両側端に略直交する側面部５２ａ、５２ｂと、背面部５１の下側端に略直交する底面部５３とで画成され、全体的には前方及び上方において開放する略直方体状の空間として形成されている。また、図５に示されるように、灰皿本体６０が灰皿収容部５０に収容される使用時位置の被押圧部６７の下方には、上面が被押圧部に整合する凸状の曲面である被押圧曲面を有する押圧部５５が配置され、更に押圧部５５の下面にはバネ５６が接触して配置されている。
【００２５】
灰皿収容部５０の各側面部５２ａ、５２ｂの一部には、水平方向と斜め前方方向と、からなる凹状の案内溝５４ａ、５４ｂが形成されている。案内溝５４ａ、５４ｂには、灰皿本体６０の突状部６５ａ、６５ｂ、回動軸６４ａ、６４ｂがそれぞれ挿入・遊嵌され、これらが摺動可能に形成されている。
【００２６】
また、案内溝５４ａ、５４ｂの先端には、一部が開放されている開放部５８ａ、５８ｂが形成されており、開放部５８ａ、５８ｂの前側縁には、灰皿本体６０の回動軸６４ａ、６４ｂが案内溝５４ａ、５４ｂから外れないように保持するための軸受け部５７ａ、５７ｂが形成されている。
【００２７】
次にこの灰皿構造の作用を説明する。ここで、図６は、灰皿５を案内溝５４ａ、５４ｂの位置でその案内方向に沿って切断した場合の断面図であり、図７は、図６に示されるＶII−ＶII切断線に沿う拡大した詳細断面図である。
【００２８】
図５〜図７を参照し、灰皿本体６０が灰皿収容部５０に収容される使用時位置では、略鉛直方向に圧縮されたバネ５６が押圧部５５を介して被押圧部６７の下側面に弾性力を作用させている。すなわち、案内溝５４ａ、５４ｂに沿う灰皿本体６０の移動方向と直交する方向に、バネ５６の弾性力で押圧部５５を押圧することで、灰皿本体６０がその凹部６１を上側面とする略水平の姿勢に保持される。なお、この使用時の状態では、受皿部材４の上面部４１と灰皿本体６０の凹部６１開口縁とが同一面に位置し、受皿部材４の前面部４２と灰皿本体６０の前壁部６２とが同一面をなすため、スロットマシン１の前面で視覚的一体性を具備している（図１参照）。
【００２９】
また、灰皿本体６０は、灰皿収容部５０に収容された使用時位置において摺動動作が抑制される。したがって、灰皿本体６０を回収時位置に移動させるには、一旦斜め前方に引き上げ制動状態を意図的に解除しなければならない。
【００３０】
また、灰皿本体６０が上述の使用時位置、及び案内溝５４ａ、５４ｂによって案内される状態にあるときには、回動軸６４ａ、６４ｂとその前方の突状部６５ａ、６５ｂの双方が案内溝５４ａ、５４ｂに遊嵌しているため、灰皿本体６０の回動動作が規制される。
【００３１】
すなわち、灰皿５の清掃に際し作業者が灰皿本体６０を灰皿収容部５０に収容される使用時位置から一旦、斜め前方へ意図的に引き出さない限り、その回動が規制されるため、吸殻などの飛散事故を効果的に防ぐとともに、その作業性を向上させることができる。
【００３２】
更に、使用時位置での回動を規制する構造としたため、回収作業に伴って灰皿本体６０の回動動作が繰り返されても、疲労や摩耗によりバネ５６の押圧力が低下せず、灰皿５を長期に使用することができる。
【産業上の利用可能性】
【００３３】
本発明は、タバコの吸殻等の回収や清掃作業の作業性を向上・維持しつつ、不用意に灰皿を反転させてしまうような事故を効果的に防止し、灰皿の長期使用にも耐えうるものであり、このような課題の解決が求められる例えばパチンコ等の一般的な遊技機の灰皿にも広く応用が期待できる。
【図面の簡単な説明】
【００３４】
【図１】本発明に関わる遊技機の一実施形態であるスロットマシンの外観斜視図である。
【図２】本発明の一実施例による灰皿を斜め前方から見た場合の分解斜視図である。
【図３】本発明の一実施例による灰皿の平面図である。
【図４】本発明の一実施例による灰皿を下斜め前方から見た場合の斜視図である。
【図５】本発明の一実施例による灰皿が灰皿収容部に収容された状態を表した略側面図である。
【図６】本発明の一実施例による灰皿をその案内溝に沿って切断した場合の断面図である。
【図７】図６に示されるＶII−ＶII切断線に沿って拡大した詳細断面図である。
【符号の説明】
【００３５】
１…スロットマシン                      ２…前扉
３…筐体                                ４…受皿部材
５…灰皿                                ６ａ…上部ランプ
７ａ、７ｂ…放音部                      ８…画像表示部
９…中パネル                            ９ａ…表示窓
１０ａ、１０ｂ、１０ｃ…リール          １１…メダル投入部
１２…ベットボタン                      １３…スタートレバー
１４ａ、１４ｂ、１４ｃ…ストップボタン  １５…下パネル
１６…メダル払出口                      １７ａ、１７ｂ…放音部
４１…上面部                            ４２…前面部
５０…灰皿収容部                        ５１…背面部
５２ａ、５２ｂ…側面部                  ５３…底面部
５４ａ、５４ｂ…案内溝                  ５５…押圧部
５６…バネ                              ５７ａ、５７ｂ…軸受け部
５８ａ、５８ｂ…開放部
６０…灰皿本体                          ６１…凹部
６２…前壁部                            ６２ａ…載置溝
６３ａ、６３ｂ…側壁部                  ６４ａ、６４ｂ…回動軸
６５ａ、６５ｂ…突状部                  ６６…底壁部
６７…被押圧部
【図１】
2008194284.tif 000003
【図２】
2008194284.tif 000004
【図３】
2008194284.tif 000005
【図４】
2008194284.tif 000006
【図５】
2008194284.tif 000007
【図６】
2008194284.tif 000008
【図７】
2008194284.tif 000009